(57)【要約】【課題】基地局装置において、障害のあるセクタ処理部を判定できることを目的とする。【解決手段】移動通信システムの基地局装置であって、装置内に搭載される監視制御部にて、複数のセクタそれぞれに特定されない処理を行う複数のセクタフリー処理部それぞれの同期確立状態からセクタ毎の呼設定の完了率を算出する完了率算出手段と、前記セクタ毎の完了率と閾値との比較結果に基づいて前記複数のセクタそれぞれに特定された処理を行う複数のセクタ処理部それぞれの障害判定を行う障害判定手段と、を有する。【選択図】    図８
2011199518.tif 000002
【特許請求の範囲】
【請求項１】
移動通信システムの基地局装置であって、
装置内に搭載される監視制御部にて、複数のセクタそれぞれに特定されない処理を行う複数のセクタフリー処理部それぞれの同期確立状態からセクタ毎の呼設定の完了率を算出する完了率算出手段と、
前記セクタ毎の完了率と閾値との比較結果に基づいて前記複数のセクタそれぞれに特定された処理を行う複数のセクタ処理部それぞれの障害判定を行う障害判定手段と、
を有することを特徴とする基地局装置。
【請求項２】
請求項１記載の基地局装置において、
前記障害判定手段で障害と判定されたセクタ処理部のアラーム制御を行うアラーム制御手段を有することを特徴とする基地局装置。
【請求項３】
請求項２記載の基地局装置において、
前記障害判定手段で障害と判定されたセクタ処理部のアラーム制御を行った後、前記セクタフリー処理部のセクタ毎のベースバンド使用率が異常値であれば、前記ベースバンド使用率を強制的に所定値に設定する使用率設定手段を
有することを特徴とする基地局装置。
【請求項４】
請求項３記載の基地局装置において、
前記障害判定手段は、同期確立指令数が所定の閾値を超えたセクタが所定数以上の場合に障害判定を行うことを特徴とする基地局装置。
【請求項５】
請求項４記載の基地局装置において、
前記完了率算出手段は、更に前記複数のセクタフリー処理部それぞれの同期確立状態から前記セクタフリー処理部毎の呼設定の完了率を算出し、
前記障害判定手段は、更に前記セクタフリー処理部毎の呼設定の完了率と閾値との比較結果に基づいて前記セクタフリー処理部の障害判定を行うことを特徴とする基地局装置。
【請求項６】
移動通信システムの基地局装置であって、
装置内に搭載される監視制御部にて、複数のセクタそれぞれに特定されない処理を行う複数のセクタフリー処理部それぞれの同期確立状態から前記セクタフリー処理部毎の呼設定の完了率を算出する完了率算出手段と、
前記セクタフリー処理部毎の呼設定の完了率と閾値との比較結果に基づいて前記セクタフリー処理部の障害判定を行う障害判定手段と、
を有することを特徴とする基地局装置。
【請求項７】
移動通信システムの基地局装置における障害判定方法であって、
装置内に搭載される監視制御部にて、複数のセクタそれぞれに特定されない処理を行う複数のセクタフリー処理部それぞれの同期確立状態からセクタ毎の呼設定の完了率を算出し、
前記セクタ毎の完了率と閾値との比較結果に基づいて前記複数のセクタそれぞれに特定された処理を行う複数のセクタ処理部それぞれの障害判定を行う
ことを特徴とする障害判定方法。
【請求項８】
移動通信システムの基地局装置における障害判定方法であって、
装置内に搭載される監視制御部にて、複数のセクタそれぞれに特定されない処理を行う複数のセクタフリー処理部それぞれの同期確立状態から前記セクタフリー処理部毎の呼設定の完了率を算出し、
前記セクタフリー処理部毎の呼設定の完了率と閾値との比較結果に基づいて前記セクタフリー処理部の障害判定を行う
ことを特徴とする障害判定方法。
【発明の詳細な説明】
【技術分野】
【０００１】
本発明は、移動通信システムの基地局装置及びその障害判定方法に関する。
【背景技術】
【０００２】
移動通信システムの基地局装置においては、通常サービスのベースバンド処理部の他に、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）等の高速通信サービスを行うためのベースバンド処理部が増設されることがある。この場合、基地局装置の制御系処理ブロックから高速通信サービスのベースバンド処理部までセクタ毎にケーブルで接続される。
【０００３】
ところで、ベースバンド処理手段に割り当てられた設定呼の上りチャネル送信電力制御情報を用いて、ベースバンド処理手段に設定された累積呼数とそれに対する異常呼数とを収集し、それらの情報からベースバンド処理手段の故障部位を特定する技術が知られている（例えば特許文献１参照）。
【先行技術文献】
【特許文献】
【０００４】
【特許文献１】特開２００８−４８１６０号公報
【発明の概要】
【発明が解決しようとする課題】
【０００５】
基地局装置に高速通信サービスのベースバンド処理部を増設した場合、基地局装置の制御系処理ブロックから高速通信サービスのベースバンド処理部に接続するケーブルの不良や施工不良によるケーブル嵌合不良が生じると、装置内信号が高速通信サービスのベースバンド処理部に届かず、特定のセクタで高速通信サービスの呼設定の完了率が低下して、高速通信サービスに影響する障害が発生する。
【０００６】
ここで、基地局装置のベースバンド処理部はセクタフリー構成のカードである。ベースバンド処理部を構成する各ベースバンド処理カードは特定セクタの処理を行うのではなく、全てのセクタの処理を行う。移動局との同期外れによって完了率の低下を検出できるベースバンド処理カードはセクタフリー構成であるために、どのセクタの完了率が低下したのかを検出できない。また、特定セクタの処理を行う拡散変調カードでは、移動局との同期外れを検出できる手段がないために、完了率の低下を検出できない。このため、上記の障害が発生した場合には、保守者の稼動やシステム復旧までに時間がかかるという問題があった。
【０００７】
また、上位装置側のリソース割り当て論理は、ベースバンド処理部のリソース使用率が少ない方にリソースを割り当てることになっている場合がある。この場合、高速通信サービスの完了率が低下することにより、高速通信サービスのベースバンドリソースの使用率が下がるため、リソースの割り当てが装置内信号の届かない高速通信サービスのベースバンド処理部の方に割り当てされ、通常サービスを行うベースバンド処理部に割り当てが全く行われなくなり、通常サービスにも影響を与え、セクタ断となる重要障害となるという問題があった。
【０００８】
開示の基地局装置は、障害のあるセクタ処理部を判定できることを目的とする。
【課題を解決するための手段】
【０００９】
開示の一実施形態による基地局装置は、移動通信システムの基地局装置であって、装置内に搭載される監視制御部にて、複数のセクタそれぞれに特定されない処理を行う複数のセクタフリー処理部それぞれの同期確立状態からセクタ毎の呼設定の完了率を算出する完了率算出手段と、前記セクタ毎の完了率と閾値との比較結果に基づいて前記複数のセクタそれぞれに特定された処理を行う複数のセクタ処理部それぞれの障害判定を行う障害判定手段と、を有する。
【発明の効果】
【００１０】
本実施形態によれば、障害のあるセクタ処理部を判定することができる。
【図面の簡単な説明】
【００１１】
【図１】基地局装置の一実施形態の構成図である。
【図２】呼設定時のシーケンスを示す図である。
【図３】ベースバンド処理カードのセクタキャリア同期管理テーブルの構成図である。
【図４】監視制御カードのセクタキャリア同期管理テーブルの構成図である。
【図５】セクタキャリア集計管理テーブルの構成図である。
【図６】セクタキャリア状態の判定条件を示す図である。
【図７】判定表を示す図である。
【図８】セクタ状態監視処理のフローチャートである。
【図９】ベースバンド処理カード同期管理テーブルの構成図である。
【図１０】ベースバンド処理カード状態の判定条件を示す図である。
【図１１】ベースバンド処理カードの故障検出処理のフローチャートである。
【図１２】監視制御カードの一実施形態の構成図である。
【図１３】伝送路切替カードの一実施形態の構成図である。
【図１４】信号中継カードの一実施形態の構成図である。
【図１５】ベースバンド処理カードの一実施形態の構成図である。
【発明を実施するための形態】
【００１２】
以下、図面に基づいて実施形態を説明する。
【００１３】
＜基地局装置の構成＞
図１は移動通信システムの基地局装置の送信部の一実施形態の構成図を示す。ここでは、移動通信システムの一実施形態として、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）移動通信システムを例にとって説明するが、Ｗ−ＣＤＭＡ移動通信システムに限定されるものではない。
【００１４】
図１において、基地局装置１０は、制御系処理ブロック１１と、通常サービス用の通常サービスベースバンド処理ブロック１２と、高速通信サービス用のＨＳ（Ｈｉｇｈ  Ｓｐｅｅｄ）サービスベースバンド処理ブロック１３を有している。
【００１５】
制御系処理ブロック１１は呼制御処理を行う呼制御カード２１と、監視制御処理を行う複数の監視制御カード２２と、通常サービスベースバンド処理ブロック１２とＨＳサービスベースバンド処理ブロック１３との伝送路切替えを行う複数の伝送路切替カード２３と、上位装置５０と光インタフェースで接続される伝送路インタフェースカード２４を有している。ここで、監視制御カード２２は例えば監視制御部に対応する。
【００１６】
上位装置５０は例えばＲＮＣ（Ｒａｄｉｏ  Ｎｅｔｗｏｒｋ  Ｃｏｎｔｒｏｌｌｅｒ）又はオペレーションシステムであり、例えば光ケーブルで伝送路インタフェースカード２４に接続されている。
【００１７】
通常サービスベースバンド処理ブロック１２は、バックボードにより伝送路切替カード２３と接続されＡＴＭ（Ａｓｙｎｃｈｒｏｎｏｕｓ  Ｔｒａｎｓｆｅｒ  Ｍｏｄｅ）を用いて通信する複数の信号中継カード３１と、通常サービスにおける同期処理や変調処理や復調処理等のベースバンド処理を行うベースバンド処理カード３２−１〜３２−Ｎと、ベースバンド処理カード３２−１〜３２−Ｎそれぞれと接続されセル単位で拡散変調を行う拡散変調カード３３−１〜３３−６と、予備拡散カード３４と、セル単位で送信のための増幅を行う送信増幅カード３５−１〜３５−６を有している。
【００１８】
ＨＳサービスベースバンド処理ブロック１３は、セクタ毎にケーブルで伝送路切替カード２３と接続されＡＴＭ（Ａｓｙｎｃｈｒｏｎｏｕｓ  Ｔｒａｎｓｆｅｒ  Ｍｏｄｅ）を用いて通信する複数の信号中継カード４１と、ＨＳサービスにおける同期処理や変調処理や復調処理等のベースバンド処理を行うベースバンド処理カード４２−１〜４２−Ｎと、ベースバンド処理カード４２−１〜４２−Ｎそれぞれと接続されセル単位で拡散変調を行う拡散変調カード４３−１〜４３−６と、予備拡散カード４４と、セル単位で送信のための増幅を行う送信増幅カード４５−１〜４５−６を有している。
【００１９】
ここで、ベースバンド処理カード３２−１〜３２−Ｎ，４２−１〜４２−Ｎは例えばセクタフリー処理部に対応し、拡散変調カード３３−１〜３３−６，４３−１〜４３−６と送信増幅カード３５−１〜３５−６，４５−１〜４５−６は例えばセクタ処理部に対応する。
【００２０】
図１に示す基地局装置における故障検出機能は、装置内の呼制御処理を実行する制御系処理ブロック１１、通常サービスベースバンド処理ブロック１２、ＨＳサービスベースバンド処理ブロック１３において、呼設定の完了率の低下を検出し、異常部位を移動通信システムより切り離して、運用を継続するものである。呼設定の完了率は、例えば単に「完了率」と呼ぶこともある。
【００２１】
基地局装置において完了率が低下する場合には、ベースバンド処理カード４２−１〜４２−Ｎ（又は３２−１〜３２−Ｎ）にて実行する移動局との同期処理において、同期外れが発生している。ただし、ベースバンド処理カード４２−１〜４２−Ｎは、リソースの効率化からセクタに依存せず言替えるとセクタに特定されずに呼設定が設定可能、すなわちセクタフリーとなっており、特定セクタでの完了率低下の検出は困難である。
【００２２】
また、セクタに依存した言替えるとセクタに特定された拡散変調カード４３−１〜４３−６（又は３３−１〜３３−６）においては、完了率低下にて現れる同期外れを検出することができない。したがって、特定セクタの完了率の低下を、以下に示す方法にて実施する。
【００２３】
ベースバンド処理カード４２−１〜４２−Ｎにおいて、呼制御カード２１より呼設定時にベースバンド処理カード４２−１〜４２−Ｎに指令される同期確率指令の数と、呼設定時に移動局と同期が確立した数の管理テーブルをセクタキャリアすなわち搬送波周波数毎に生成する。
【００２４】
＜呼設定時シーケンス＞
図２に呼設定時のシーケンスを示す。上位装置５０からの要求に基づいて、呼制御カード２１は例えばベースバンド処理カード４２−１〜４２−Ｎのいずれかに特定移動局との呼同期確立指令を発行する。これにより、同期確立指令を受けたベースバンド処理カード（例えば４２−１）は特定移動局との同期を取る同期処理を実行する。上記の同期がとれると、ベースバンド処理カード（例えば４２−１）は呼制御カード２１に同期確立の応答を行う。
【００２５】
＜ベースバンド処理カードのセクタキャリア同期管理テーブルの構成図＞
図３は各ベースバンド処理カードに設けられるセクタキャリア同期管理テーブルの構成図を示す。ここでは、セクタＳ１〜Ｓ６それぞれのキャリアＣ１，Ｃ２毎に同期確立指令数と同期確立数が格納される。なお、同期確立指令は新規呼設定のみとし、セル変更（ＨＨＯ）及びセクタ変更（ＳＨＯ）時は、無線環境の影響により同期外れが発生することが多いため対象外とする。
【００２６】
図１において、監視制御カード２２より、通常サービスベースバンド処理ブロック１２、ＨＳサービスベースバンド処理ブロック１３それぞれに対して、全てのベースバンド処理カードに同報でセクタキャリア情報要求メッセージを定期的に送信する。セクタキャリア情報要求を受信した各ベースバンド処理カードは、図３に示すセクタキャリア同期管理テーブル情報とベースバンド処理カード番号をセクタキャリア情報応答メッセージで返信する。
【００２７】
セクタキャリア情報応答メッセージを受信した監視制御カードは、各ベースバンド処理カードからの管理テーブル情報及びベースバンド処理カード番号を基に、図４に示すセクタ毎のセクタキャリア同期管理テーブルを作成する。
【００２８】
＜監視制御カードのセクタキャリア同期管理テーブルの構成図＞
図４は監視制御カードに設けられるセクタキャリア同期管理テーブルの構成図を示す。ここでは、ベースバンド処理カード３２−１〜３２−Ｎと４２−１〜４２−Ｎそれぞれについて、セクタＳ１〜Ｓ６それぞれのキャリアＣ１，Ｃ２毎に同期確立指令数と同期確立数が格納される。
【００２９】
この図４のセクタキャリア同期管理テーブルは、監視制御カード２２内の不揮発メモリに書き込み、遠隔操作で障害ログとして取得可能とする。遠隔操作での取得が可能となることにより、間欠的異常故障による各故障カードの切り分けに有効となる。この間欠的異常故障による各故障カードは例えばベースバンド処理カードや拡散変調カードに対応する。
【００３０】
次に、監視制御カードは、セクタキャリア毎に同期確立状態である同期確立指令数と同期確立数を集計して、セクタキャリア毎の完了率（＝同期確立数／同期確立指令数）を算出して、図５に示すセクタキャリア集計管理テーブルを作成する。
【００３１】
監視制御カード２２は、図５に示すセクタキャリア完了率より、セクタキャリアの状態を判定するため、正常判定閾値β、異常判定閾値γ、同期確立指令閾値αを設け、各セクタキャリアの状態を以下の５つの状態に判定する。
【００３２】
正常判定閾値βは、フィールドで影響が見えない完了率の値として例えば８０％を設定し、異常判定閾値γは、フィールド環境化では誤同期することも考えられるために０％とせず、例えば２０％とする。同期確立指令閾値αは、特定端末の影響を受けない母数となるように例えば値６０００とする。なお、値６０００は平均トラヒック量より算出される。上記β、γ、αの閾値は、ソフトウェアにて変更可能とする。
【００３３】
図６にセクタキャリア状態の判定条件を示す。
正常と判定されるのは、以下の場合である。
【００３４】
完了率  ≧  β（８０％）  ただし、同期確立指令数  ＞  α
また、異常と判定されるのは、以下の場合である。
【００３５】
完了率  ≦  γ（２０％）  ただし、同期確立指定数  ＞  α
また、判定外と判定されるのは、以下の場合である。
【００３６】
γ（２０％）  ＜  完了率  ＜  β（８０％）  ただし、同期確立指令数  ＞  α
また、積算中と判定されるのは、以下の場合である。
【００３７】
同期確立指令数  ＜  α（６０００）
また、対象外と判定されるのは、キャリア未設定フラグが有効なときである。
【００３８】
監視制御カード２２は上記の判定結果を、監視制御カード２２内のセクタキャリア状態管理テーブルに格納する。
【００３９】
監視制御カード２２は、各セクタキャリアの状態フラグより、以下に示す判定条件を用いて各セクタの状態を判定する。なお、状態フラグは正常、異常、判定外、積算中、未設定のいずれかを示す。図７に判定条件に基づいた判定表を示す。セクタ内ではキャリア毎に差分のない、すなわち略同一のハードウェア構成としているため、異常判定はセクタ内の他キャリアの状態を確認することで誤判定がないようにする。
【００４０】
判定条件１：各セクタのキャリアＣ１とキャリアＣ２の状態フラグが同じ場合は、その結果を当該セクタの状態フラグとする。
【００４１】
判定条件２：各セクタのキャリアＣ１とキャリアＣ２の状態フラグが異なる場合は、優先度が高い状態フラグをセクタの状態フラグとする。ただし、優先度は、積算中  ＞  正常  ＞  判定外  ＞  異常  ＞未設定、の順とする。監視制御カード２２は図７を用いた判定の判定結果を、監視制御カード２２内のセクタ状態判定テーブルに格納する。
【００４２】
監視制御カード２２は、上記判定にて、特定セクタの異常を判定した場合は、セクタ依存カードである拡散変調カードに対して、故障判定を実施する。ただし、特定端末の異常によっても特定セクタの完了率が下がる可能性がある。その場合、該当セクタの呼量が少ない場合で、短時間での完了率低下となるため、他セクタの状態も確認し判定を行うのに十分な呼量を確認した上で実施する。故障判定実施条件は、以下の通りである。
【００４３】
故障判定実施条件１：セクタ状態判定にて正常、異常、判定外と判定されたセクタが３以上存在する場合に故障判定を実施する。なお、正常、異常、判定外のセクタは、同期確立指令数が同期確立指令閾値α（＝６０００）を超えた状態で呼量十分と判断する。
【００４４】
また、基地局装置の設置環境によっては、無線環境による干渉によって全セクタにて完了率が低下する場合もあるため、他セクタの状態を確認して１つのセクタで異常を検出した場合に故障判定を実施する。なお、拡散変調カードの予備カードがない状態で拡散変調カードを故障判定してアラーム化した場合にはセクタ断となるため、予備カードがある場合にのみアラーム化する。なお、アラーム化した拡散変調カードの処理は予備カードで実行される。
【００４５】
以下に故障判定条件を示す。
【００４６】
故障判定条件１：異常と判定されたセクタが１つだけで、かつ、正常と判定されたセクタが２つ以上ある。
【００４７】
故障判定条件２：予備の拡散変調カードが実装されている。
故障判定条件は、故障判定実施条件を満たした場合に実施され、故障判定条件を満たすセクタの拡散変調カードは、監視制御カード２２よりアラーム化を行う。
【００４８】
ここまで、特定セクタにおける完了率の低下から故障判定及びアラーム化を行うことについて説明した。更に、装置部品の不良及び施工不良によるセクタ断を回避する方法について説明する。
【００４９】
監視制御カード２２は、故障判定条件にて拡散変調カードをアラーム化した後、所定時間（例えば１０分）後に、アラーム化した拡散変調カードの該当セクタキャリアのベースバンド使用率を確認する。ここで、ベースバンド使用率＝使用リソース数／全リソース数である。拡散変調カードをアラーム化した後、ベースバンド使用率が０％と変わらない場合は、該当セクタキャリアのベースバンド使用率を１００％として、上位装置５０に異常を報告する。
【００５０】
ここで、通常サービスベースバンド処理ブロック１２ではキャリアＣ１，Ｃ２として周波数ｆ１，ｆ２を使用し、ＨＳサービスベースバンド処理ブロック１３ではキャリアＣ１，Ｃ２として周波数ｆ３，ｆ４を使用するものとする。
【００５１】
制御系処理ブロック１１からＨＳサービスベースバンド処理ブロック１３に信号を配信するためのケーブル不良及び勘合不良があった場合、装置内信号がＨＳサービスベースバンド処理ブロック１３のベースバンド処理カード４２−１〜４２−Ｎに届かずベースバンド使用率が０％となるため、上位装置５０はベースバンド使用率が低い方に呼の割り当てを行い、通常サービスベースバンド処理ブロック１２に割り当てを行わない。その結果、セクタ断となることを避けるため、ベースバンド使用率が０％となったベースバンド処理カード４２−１〜４２−Ｎのベースバンド使用率を強制的に１００％として上位装置５０に報告を行う。これによって、通常サービスベースバンド処理ブロック１２に割り当てを行わせることができ、通常サービスの継続が可能となる。
【００５２】
＜セクタ状態監視処理のフローチャート＞
図８にセクタ状態監視処理のフローチャートを示す。図８において、監視制御カード２２は各ベースバンド処理カード４２−１〜４２−Ｎ（又は３２−１〜３２−Ｎ）にセクタキャリア情報要求メッセージを定期的に送信する（ステップＳ１１）。各ベースバンド処理カードは上記要求メッセージを受信してセクタキャリア同期管理テーブル情報とベースバンド処理カード番号をセクタキャリア情報応答メッセージで返信する（ステップＳ３１，Ｓ３２）。
【００５３】
監視制御カード２２は上記応答を受信し（ステップＳ１２）、当該応答に対応するベースバンド処理部に予備の拡散変調カードが実装されていれば（ステップＳ１３）、セクタキャリア同期管理テーブル、セクタキャリア集計管理テーブル、セクタキャリア状態管理テーブル、セクタ状態判定テーブルそれぞれを上記応答に基づいて更新する（ステップＳ１４〜Ｓ１７）。
【００５４】
監視制御カード２２はセクタ毎の呼設定の完了率を算出し（ステップＳ１８ａ）、故障判定実施条件１及び故障判定条件１，２を用いて故障判定を行い（ステップＳ１８ｂ，Ｓ１９）、故障判定の拡散変調カードがあれば、当該拡散変調カードのアラーム制御を行う（ステップＳ２０）。当該拡散変調カードでは上記アラーム制御を受信して例えばＬＥＤを点滅させる等のアラーム制御を行う（ステップＳ３３，Ｓ３４）。これによって、当該拡散変調カードはシステムから切り離され当該拡散変調カードの処理は予備拡散変調カードで実行される。なお、ステップＳ２０では拡散変調カードのアラーム制御を行うと共に、上位装置５０にアラーム報告を行っても良い。
【００５５】
この後、監視制御カード２２はセクタキャリア同期管理テーブルについて、アラーム判定対象となったカードのテーブル内容をクリアし（ステップＳ２１）、所定時間（例えば１０分）後に、アラーム化した拡散変調カードの該当セクタキャリアのベースバンド使用率を確認する（ステップＳ２２）。ベースバンド使用率が例えば０％等の異常値であれば、該当セクタキャリアのベースバンド使用率を例えば１００％等の所定値として、上位装置５０に異常を報告し（ステップＳ２３，Ｓ２４）、受信待ち状態となる。
【００５６】
＜第２実施形態＞
ところで、図４に示すセクタキャリア同期管理テーブルから、更に、ベースバンド処理カードの故障を検出することも可能である。ベースバンド処理カードは、セクタキャリアフリーカードとなるため、故障して完了率が低下した場合、セクタキャリアに依存をせず、全セクタキャリアに影響する。そのため、監視制御カード２２は、図４のセクタキャリア管理テーブルから、ベースバンド処理カード毎にキャリアＣ１とキャリアＣ２の同期確立指令数及び同期確立数を集計してベースバンド処理カード完了率を算出し、図９に示すベースバンド処理カード同期管理テーブルを作成する。
【００５７】
図９では、ベースバンド処理カード３２−１〜３２−Ｎと４２−１〜４２−Ｎそれぞれについて、セクタＳ１〜Ｓ６それぞれのキャリアＣ１，Ｃ２毎に同期確立指令数と同期確立数が格納されている。更に、ベースバンド処理カード毎に、つまり図９の各行を横方向に、同期確立指令数の集計値と同期確立数の集計値が格納され、同期確立数の集計値を同期確立指令数の集計値で除算したベースバンド処理カード完了率が格納されている。
【００５８】
図９のベースバンド処理カード完了率より、ベースバンド処理カードの状態を判定するため、セクタキャリア状態と同様に、正常判定閾値β、異常判定閾値γ、同期確立指令閾値αを設け、以下の５つの状態に判定する。正常判定閾値β、異常判定閾値γは、セクタキャリア状態と同じく、β＝８０％，γ＝２０％とする。同期確立指令閾値αは、ベースバンド処理カードの故障の場合、全セクタに影響を与えることから、セクタキャリア異常よりも先に検出する値１０００とする。なお、値１０００は平均トラヒック量より算出される。
【００５９】
特定端末の影響は、全セクタに影響を与えないため、考慮にいれない。対象外は、監視制御カード２２にてベースバンド処理カードのカード状態を確認し、共通チャネルカード、閉塞中カードの場合に対象外と判定する。
【００６０】
図１０にベースバンド処理カード状態の判定条件を示す。
正常と判定されるのは、以下の場合である。
【００６１】
完了率  ≧  β（８０％）  ただし、同期確立指令数  ＞  α  
また、異常と判定されるのは、以下の場合である。
【００６２】
完了率  ≦  γ（２０％）  ただし、同期確立指定数  ＞  α
また、判定外と判定されるのは、以下の場合である。
【００６３】
γ（２０％）  ＜  完了率  ＜  β（８０％）  ただし、同期確立指令数  ＞  α
また、積算中と判定されるのは、以下の場合である。
【００６４】
同期確立指令数  ＜  α（１０００）
また、対象外と判定されるのは、共通チャネルカード、閉塞中カード等の同期判定を行えない場合である。
【００６５】
監視制御カード２２は上記の判定結果を、監視制御カード２２内のベースバンド処理カード状態管理テーブルに格納する。
【００６６】
監視制御カード２２は、各ベースバンド処理カードの状態フラグより、以下に示す故障判定実施条件にて故障判定を実施する。故障判定は、他カードの状態を確認し、判定を行うのに十分な呼量を確認した上で行う。
【００６７】
故障判定実施条件１：ベースバンド処理カード状態判定にて正常、異常、判定外と判定され、同期確立指令数＞１０００であるベースバンド処理カードが３カード以上存在する場合に、判定を実施する。
【００６８】
また、無線環境の影響による全セクタの完了率低下の誤検出を回避するため、他カードの状態を確認し、１つのカードで異常を検出した場合にのみアラーム化を行う。
【００６９】
以下に故障判定条件を示す。
【００７０】
故障判定条件１：異常と判定されたセクタが１カードのみでかつ正常と判定されたカードが２カード以上ある。
【００７１】
故障判定条件は、故障判定実施条件を満たした場合に実施され、故障判定条件を満たすベースバンド処理カードにおいては、監視制御カード２２よりアラーム制御を行う。
【００７２】
＜セクタ状態監視処理のフローチャート＞
図１１にベースバンド処理カードの故障検出処理のフローチャートを示す。図１１において、監視制御カード２２は各ベースバンド処理カード４２−１〜４２−Ｎ（又は３２−１〜３２−Ｎ）にセクタキャリア情報要求メッセージを定期的に送信する（ステップＳ４１）。各ベースバンド処理カードは上記要求メッセージを受信してセクタキャリア同期管理テーブル情報とベースバンド処理カード番号をセクタキャリア情報応答メッセージで返信する（ステップＳ６１，Ｓ６２）。
【００７３】
監視制御カード２２は上記応答を受信し（ステップＳ４２）、セクタキャリア同期管理テーブル、ベースバンド処理カード同期管理テーブル、ベースバンド処理カード状態管理テーブルそれぞれを上記応答に基づいて更新する（ステップＳ４３〜Ｓ４５）。
【００７４】
監視制御カード２２は故障判定実施条件１及び故障判定条件１を用いて故障判定を行い（ステップＳ４６，Ｓ４７）、故障判定のベースバンド処理カードがあれば、当該ベースバンド処理カードのアラーム制御を行う（ステップＳ４８）。当該ベースバンド処理カードでは上記アラーム制御を受信して例えばＬＥＤを点滅させる等のアラーム制御を行う（ステップＳ６３，Ｓ６４）。これによって、当該ベースバンド処理カードはシステムから切り離される。なお、ステップＳ４８ではベースバンド処理カードのアラーム制御を行うと共に、上位装置５０にアラーム報告を行っても良い。
【００７５】
この後、監視制御カード２２はセクタキャリア同期管理テーブルについて、アラーム判定対象となったカードのテーブル内容をクリアし（ステップＳ４９）、受信待ち状態となる。
【００７６】
＜監視制御カードの構成＞
図１２に監視制御カード２２の一実施形態の構成図を示す。図１２において、呼処理制御部６１内の情報要求／報告送信部６１ａはベースバンド処理カードにセクタキャリア情報要求メッセージ等を送信すると共に、上位装置にベースバンド使用率等を送信する。また、情報要求受信部６１ｂはベースバンド処理カードからセクタキャリア情報応答メッセージ等を受信する。
【００７７】
集計更新部６１ｃは受信したセクタキャリア情報応答メッセージに基づいて、セクタキャリア同期管理テーブル６１ｄ、セクタキャリア集計管理テーブル６１ｅ、セクタキャリア状態管理テーブル６１ｆ、セクタ状態判定テーブル６１ｇそれぞれの集計及び更新を行う。また、完了率算出部６１ｈはベースバンド処理カードの同期確立状態からセクタ毎の呼設定の完了率を算出する。障害判定部６１ｉはセクタ毎の完了率と閾値との比較結果に基づいて拡散変調カードや送信増幅カードの障害判定を行う。アラーム制御部６１ｊは障害判定部６１ｉで障害と判定された拡散変調カードや送信増幅カードのアラーム制御を行う。使用率設定部６１ｋはベースバンド処理カードのセクタ毎のベースバンド使用率が異常値であれば、ベースバンド使用率を強制的に所定値に設定する。
【００７８】
なお、セクタキャリア同期管理テーブル６１ｄの内容は不揮発メモリ（ＦＬＡＳＨ）６２内のセクタキャリア同期管理テーブル６２ａにコピーして保持される。また、当該不揮発メモリ６２には各種プログラムが格納されており、ＭＰＵ（Ｍｉｃｒｏ  Ｐｒｏｃｅｓｓｉｎｇ  Ｕｎｉｔ）がこれらのプログラムを読み出して当該プログラムに基づいた処理を実行することにより、上述した集計更新部６１ｃ等の各機能部が実現される。
【００７９】
ＡＴＭ終端部６３は呼処理制御部６１から供給されるセクタキャリア情報要求メッセージ等をＡＴＭセルに変換してＡＴＭ送信インタフェース（ＡＴＭ−ＴＸ−ＩＦ）６４に供給する。このＡＴＭセルはＡＴＭ送信インタフェース６４から伝送路切替カード２３に向けて送信される。また、ＡＴＭ受信インタフェース（ＡＴＭ−ＲＸ−ＩＦ）６５にて受信した伝送路切替カード２３からのＡＴＭセルはＡＴＭ終端部６３に供給され、セクタキャリア情報応答メッセージに変換されて呼処理制御部６１に供給される。
【００８０】
＜伝送路切替カードの構成＞
図１３に伝送路切替カード２３の一実施形態の構成図を示す。図１３において、ＡＴＭ受信インタフェース７１は監視制御カード２２からのセクタキャリア情報要求メッセージのＡＴＭセルを受信してＡＴＭスイッチ７２に供給する。このＡＴＭセルの宛先がＨＳサービスベースバンド処理ブロック１３の場合はＡＴＭスイッチ７２からＡＴＭスイッチ７３及びＡＴＭ送信インタフェース７５を通してＨＳサービスベースバンド処理ブロック１３に送信される。また、ＡＴＭセルの宛先が通常サービスベースバンド処理ブロック１２の場合はＡＴＭスイッチ７２からＡＴＭスイッチ７４及びＡＴＭ送信インタフェース７６を通して通常サービスベースバンド処理ブロック１２に送信される。
【００８１】
また、ＨＳサービスベースバンド処理ブロック１３から送信されたセクタキャリア情報応答メッセージのＡＴＭセルはＡＴＭ受信インタフェース７７で受信され、ＡＴＭセル７３，７２、ＡＴＭ送信インタフェース７８を通して監視制御カード２２に送信される。また、通常サービスベースバンド処理ブロック１２から送信されたセクタキャリア情報応答メッセージのＡＴＭセルはＡＴＭ受信インタフェース７９で受信され、ＡＴＭセル７４，７２、ＡＴＭ送信インタフェース７８を通して監視制御カード２２に送信される。
【００８２】
＜信号中継カードの構成＞
図１４に信号中継カード３１，４１の一実施形態の構成図を示す。図１４において、ＡＴＭ受信インタフェース８１は伝送路切替カード２３からのセクタキャリア情報要求メッセージのＡＴＭセルを受信して、ＡＴＭセルの宛先を基にＡＴＭスイッチ８２から振分け処理部８４又は８５に供給する。振分け処理部８４，８５はＡＴＭセルの宛先を基に、このＡＴＭセルをベースバンド処理カード３２−１〜３２−Ｎ（又は４２−１〜４２−Ｎ）のいずれかに振分けて出力する。
【００８３】
また、ベースバンド処理カード３２−１〜３２−Ｎ（又は４２−１〜４２−Ｎ）から振分け処理部８４，８５に供給されるセクタキャリア情報応答メッセージのＡＴＭセルはＡＴＭスイッチ８２からＡＴＭ送信インタフェース８６を通して伝送路切替カード２３に送信される。
【００８４】
＜ベースバンド処理カードの構成＞
図１５にベースバンド処理カード３２−１〜３２−Ｎ（又は４２−１〜４２−Ｎ）の一実施形態の構成図を示す。図１５において、ＡＴＭ受信インタフェース９１は信号中継カード３１，４１からのセクタキャリア情報要求メッセージのＡＴＭセルを受信して、ＡＴＭ終端部９２に供給する。
【００８５】
ＡＴＭ終端部６３はＡＴＭセルからセクタキャリア情報要求メッセージに変換してベースバンド制御部９３に供給する。ベースバンド制御部９３はセクタキャリア同期管理テーブル９３ａを有しており、セクタキャリア情報要求メッセージに応じて同期処理を制御すると共に、変調処理や復調処理等のベースバンド処理を実行する。また、セクタキャリア情報応答メッセージを生成する。ベースバンド制御部９３で生成されたセクタキャリア情報応答メッセージはＡＴＭ送信インタフェース９５から信号中継カード３１，４１に送信される。
【００８６】
同期状態監視部９６，９７はベースバンド制御部９３の制御によりチャネル＃１〜３２，＃３３〜６４それぞれの同期処理を実行する。同期状態監視部９６，９７は拡散変調カード３３−１〜３３−６（又は４３−１〜４３−Ｎ）それぞれに接続されている。
【００８７】
本実施形態では、故障検出機能の一例として、ベースバンド処理カードにて実施する移動局との同期処理から特定セクタの完了率の低下を検出し、基地局装置内に実装されるカード故障及びケーブル等の装置内部品の異常部品を切り離して、運用継続が可能となる。
【００８８】
また、基地局装置の部品の故障検出をソフトウェアにて実現することができ、ハードウェア機能として盛り込む必要がない。また、部品故障に特化した故障検出ではなくフィールド品質での指標となる特定セクタでの完了率の低下で検出するため、システム品質の復旧を考えた検出が可能となる。そのため、特化した部品以外の故障に対しても検出可能であり、サービス品質向上に向けた効果は高い。また、施工誤りによる装置異常も検出可能であり、施工誤りがあった場合においても上位装置５０とのインタフェースを変えることなく、上位装置５０に通知してサービス運用の継続が可能となる。
（付記１）
移動通信システムの基地局装置であって、
装置内に搭載される監視制御部にて、複数のセクタそれぞれに特定されない処理を行う複数のセクタフリー処理部それぞれの同期確立状態からセクタ毎の呼設定の完了率を算出する完了率算出手段と、
前記セクタ毎の完了率と閾値との比較結果に基づいて前記複数のセクタそれぞれに特定された処理を行う複数のセクタ処理部それぞれの障害判定を行う障害判定手段と、
を有することを特徴とする基地局装置。
（付記２）
付記１記載の基地局装置において、
前記障害判定手段で障害と判定されたセクタ処理部のアラーム制御を行うアラーム制御手段を有することを特徴とする基地局装置。
（付記３）
付記２記載の基地局装置において、
前記障害判定手段で障害と判定されたセクタ処理部のアラーム制御を行った後、前記セクタフリー処理部のセクタ毎のベースバンド使用率が異常値であれば、前記ベースバンド使用率を強制的に所定値に設定する使用率設定手段を
有することを特徴とする基地局装置。
（付記４）
付記３記載の基地局装置において、
前記障害判定手段は、同期確立指令数が所定の閾値を超えたセクタが所定数以上の場合に障害判定を行うことを特徴とする基地局装置。
（付記５）
請求項４記載の基地局装置において、
前記完了率算出手段は、更に前記複数のセクタフリー処理部それぞれの同期確立状態から前記セクタフリー処理部毎の呼設定の完了率を算出し、
前記障害判定手段は、更に前記セクタフリー処理部毎の呼設定の完了率と閾値との比較結果に基づいて前記セクタフリー処理部の障害判定を行うことを特徴とする基地局装置。
（付記６）
移動通信システムの基地局装置であって、
装置内に搭載される監視制御部にて、複数のセクタそれぞれに特定されない処理を行う複数のセクタフリー処理部それぞれの同期確立状態から前記セクタフリー処理部毎の呼設定の完了率を算出する完了率算出手段と、
前記セクタフリー処理部毎の呼設定の完了率と閾値との比較結果に基づいて前記セクタフリー処理部の障害判定を行う障害判定手段と、
を有することを特徴とする基地局装置。
（付記７）
移動通信システムの基地局装置における障害判定方法であって、
装置内に搭載される監視制御部にて、複数のセクタそれぞれに特定されない処理を行う複数のセクタフリー処理部それぞれの同期確立状態からセクタ毎の呼設定の完了率を算出し、
前記セクタ毎の完了率と閾値との比較結果に基づいて前記複数のセクタそれぞれに特定された処理を行う複数のセクタ処理部それぞれの障害判定を行う
ことを特徴とする障害判定方法。
（付記８）
移動通信システムの基地局装置における障害判定方法であって、
装置内に搭載される監視制御部にて、複数のセクタそれぞれに特定されない処理を行う複数のセクタフリー処理部それぞれの同期確立状態から前記セクタフリー処理部毎の呼設定の完了率を算出し、
前記セクタフリー処理部毎の呼設定の完了率と閾値との比較結果に基づいて前記セクタフリー処理部の障害判定を行う
ことを特徴とする障害判定方法。
（付記９）
付記４記載の基地局装置において、
前記障害判定手段は、前記完了率と閾値との比較結果が異常のセクタが１つで、正常のセクタが２つ以上ある場合に、前記障害判定を行うことを特徴とする基地局装置。
（付記１０）
付記９記載の基地局装置において、
前記アラーム制御手段は、予備のセクタ処理部がある場合に、障害と判定されたセクタ処理部のアラーム制御を行うことを特徴とする基地局装置。
（付記１１）
付記６記載の基地局装置において、
前記障害判定手段で障害と判定されたセクタフリー処理部のアラーム制御を行うアラーム制御手段を有することを特徴とする基地局装置。
【符号の説明】
【００８９】
１０  基地局装置
１１  制御系処理ブロック
１２  通常サービスベースバンド処理ブロック
１３  ＨＳサービスベースバンド処理ブロック
２１  呼制御カード
２２  監視制御カード
２３  伝送路切替カード
２４  伝送路インタフェースカード
５０  上位装置
３１，４１  信号中継カード
３２−１〜３２−Ｎ，４２−１〜４２−Ｎ  ベースバンド処理カード
３３−１〜３３−６  拡散変調カード
３４，４４  予備拡散カード
３５−１〜３５−６，４５−１〜４５−６  送信増幅カード
【図１】
2011199518.tif 000003
【図２】
2011199518.tif 000004
【図３】
2011199518.tif 000005
【図４】
2011199518.tif 000006
【図５】
2011199518.tif 000007
【図６】
2011199518.tif 000008
【図７】
2011199518.tif 000009
【図８】
2011199518.tif 000010
【図９】
2011199518.tif 000011
【図１０】
2011199518.tif 000012
【図１１】
2011199518.tif 000013
【図１２】
2011199518.tif 000014
【図１３】
2011199518.tif 000015
【図１４】
2011199518.tif 000016
【図１５】
2011199518.tif 000017